(57)【要約】 【課題】  この発明は、構造簡易で通路の遮蔽を手間なく行える防水扉装置を提供するものである。【解決手段】  通路４に設けられる防水扉装置１は防水パネル２と防水扉３とを備えている。通路４の一部である歩道６にパネル支持部材９を設け、通路４の他の一部である車道５に設けた扉支持部材７に扉縦支持枠３３を略歩道６と同じ高さ迄立ち上がるように設ける。パネル支持枠９に嵌め込んだ防水パネル２に設けたシール部材２６を扉縦支持枠３３に設けた防水扉用縦シール部材３７と連続して設けた接続用シール部材３８に圧接する。扉支持部材７にヒンジ装置を介して設けた防水扉３を起立状態として防水パネル２のシール部材２５、２６と防水扉用縦シール部材３７とに密着させることで、防水パネル２と防水扉３間に防水パネル２と防水扉３とを連接する部材を不要とし、構造簡易とする。【選択図】  図４
2007308915.tif 000002
【特許請求の範囲】
【請求項１】
洪水時に流水路が想定される通路を遮蔽して通路からの浸水を防ぐようにした防水扉装置において、通路の一部の通路幅領域に設ける扉支持部材と、他の一部の通路幅領域に設けるパネル支持部材と、扉支持部材にヒンジ装置により倒伏状態と起立状態とに起倒可能に設ける防水扉と、パネル支持部材にその一端側のパネル面が起立状態の防水扉の扉面に対向するように着脱可能に設ける防水パネルとを備え、防水パネルと扉支持部材に夫々起立状態の防水扉の扉面に圧着可能なシール部材を連続可能に設けて成ることを特徴とする防水扉装置。
【請求項２】
防水パネルの防水扉端部に防水パネルを防水扉に圧着可能な圧着手段を設けたことを特徴とする請求項１記載の防水扉装置。
【請求項３】
起立状態の防水扉の扉面に対向する防水パネルのパネル面と扉支持部材の扉対向面とに夫々シール部材を連続可能に設けて成ることを特徴とする請求項１または２記載の防水扉装置。
【請求項４】
通路の一部である車道に設ける扉支持部材と、通路の他の一部である歩道に設けるパネル支持部材を備え、扉支持部材に水平方向の扉横支持枠と歩道との境界で略歩道と同じ高さ迄立ち上がる扉縦支持枠を設け、扉縦支持枠とパネル支持部材が連続されていることを特徴とする請求項１から３の何れか１項に記載の防水扉装置。
【請求項５】
パネル支持部材に防水パネルの下端部を嵌め込み可能な溝部を設け、パネル支持部材に溝部の上部を覆う蓋部材を着脱可能に設けて成ることを特徴とする請求項１から４何れか１項に記載の防水扉装置。
【請求項６】
防水扉と、防水扉に隣接する位置に起立状態の防水扉の高さ方向に通路から立ち上がるパネル支持部材と、パネル支持部材に設けられる防水パネルとの相互の３つの止水面で通路を遮蔽するように構成したことを特徴とする請求項１から５何れか１項に記載の防水扉装置。
【発明の詳細な説明】
【技術分野】
【０００１】
この発明は、主に建物や駐車場等の幅広い出入口からの浸水を防止する防水扉装置に関する。
【背景技術】
【０００２】
従来の防水扉装置として、次のものが知られている。特許文献１の防水扉装置は、複数の防水扉が建物や駐車場等の出入口の床面に並設されており、防水扉には、防水扉の起立状態で隣接する防水扉間の隙間をシールするパッキンを隙間に押圧する駆動機構を備えているものである。また、特許文献２に記載の防水扉装置では、出入口の壁面と床面に支持枠を設け、支持枠の中間部に方立（中柱）を立設し、方立と支持枠との間に夫々防水パネルを嵌め込み、防水パネルをハンドルにより防水扉の左右側縁端部と下側縁端部に沿って設けたパッキンを方立と支持枠に押圧して水密に固定するものである。特許文献１の防水扉装置では、隣接する防水扉間の隙間をシールするために、防水扉にパッキンを押圧する駆動機構を備えているので構造が複雑になる問題がある。特許文献２の防水扉装置では、構造は簡単だが、洪水等の水害が予想される時に隣接する防水パネル間に方立を立設する手間を必要とし、また、平常時から方立を立設した状態としておくと通行に支障を与える問題がある。
【０００３】
【特許文献１】特開２００５−１２０５９４号公報
【特許文献２】特許第２７１１４２３号公報
【発明の開示】
【発明が解決しようとする課題】
【０００４】
この発明は、幅広い通路の遮蔽を簡易迅速に行える簡単な構成の防水扉装置を提供するものである。
【課題を解決するための手段】
【０００５】
本発明は、洪水時に流水路が想定される通路を遮蔽して通路からの浸水を防ぐようにした防水扉装置において、通路の一部の通路幅領域に設ける扉支持部材と、他の一部の通路幅領域に設けるパネル支持部材と、扉支持部材にヒンジ装置により倒伏状態と起立状態とに起倒可能に設ける防水扉と、パネル支持部材にその一端側のパネル面が起立状態の防水扉の扉面に対向するように着脱可能に設ける防水パネルとを備え、防水パネルと扉支持部材に夫々起立状態の防水扉の扉面に圧着可能なシール部材を連続可能に設けて成ることを特徴とする。
【０００６】
また、防水パネルの防水扉端部に防水パネルを防水扉に圧着可能な圧着手段を設けたことを特徴とする。
【０００７】
また、起立状態の防水扉の扉面に対向する防水パネルのパネル面と扉支持部材の扉対向面とに夫々シール部材を連続可能に設けて成ることを特徴とする。
【０００８】
また、通路の一部である車道に設ける扉支持部材と、通路の他の一部である歩道に設けるパネル支持部材を備え、扉支持部材に水平方向の扉横支持枠と歩道との境界で略歩道と同じ高さ迄立ち上がる扉縦支持枠を設け、扉縦支持枠とパネル支持部材が連続されていることを特徴とする。
【０００９】
また、パネル支持部材に防水パネルの下端部を嵌め込み可能な溝部を設け、パネル支持部材に溝部の上部を覆う蓋部材を着脱可能に設けて成ることを特徴とする。
【００１０】
防水扉と、防水扉に隣接する位置に起立状態の防水扉の高さ方向に通路から立ち上がるパネル支持部材と、パネル支持部材に設けられる防水パネルとの相互の３つの止水面で通路を遮蔽するように構成したことを特徴とする。
【発明の効果】
【００１１】
本願の請求項１の発明によれば、通路の一部の通路幅領域に設ける扉支持部材と、他の一部の通路幅領域に設けるパネル支持部材と、扉支持部材にヒンジ装置により倒伏状態と起立状態とに起倒可能に設ける防水扉と、パネル支持部材にその一端側のパネル面が起立状態の防水扉の扉面に対向するように着脱可能に設ける防水パネルとを備え、防水パネルと扉支持部材に夫々起立状態の防水扉の扉面に圧着可能なシール部材を連続可能に設けたので、パッキンを押圧する駆動機構や方立が不要となり簡易な構造とすることができ、防水性能も良好である。また、通路の遮蔽時に防水パネルに防水扉を圧着するので、方立を立設する必要がなく、通路の遮蔽を迅速に簡単に行えて使い易いという効果がある。また、方立を使わないので平時には防水パネルのみ収納すればよく、納まりスペースが少なくてすむ。
【００１２】
また、請求項２の発明によれば、防水パネルの防水扉端部に防水パネルを防水扉に圧着可能な圧着手段を設けたので、防水パネルと防水扉との圧着が確実となり、一層防水パネルと防水扉間の水密性が高くなり、防水性能が向上する。
【００１３】
また、請求項３の発明によれば、起立状態の防水扉の扉面に対向する防水パネルのパネル面と扉支持部材の扉対向面とに夫々シール部材を連続可能に設けたので、シール部材間に隙間が形成されず水密性が高くなり、より一層防水性能が向上する。
【００１４】
また、請求項４の発明によれば、通路の一部である車道に設ける扉支持部材と、通路の他の一部である歩道に設けるパネル支持部材を備え、扉支持部材に水平方向の扉横支持枠と歩道との境界で略歩道と同じ高さ迄立ち上がる扉縦支持枠を設け、扉縦支持枠とパネル支持部材が連続されているので、車道と歩道のように段差がある場所でも防水パネルと防水扉とを水密に圧着し、防水パネル下側の段差部分では扉縦支持枠に防水扉が圧着するので防水性能が高い。また、段差を考慮してパッキンを押圧する駆動機構を設ける必要がなく、段差部分においての水密性を容易に実現することができる。
【００１５】
また、請求項５の発明によれば、パネル支持部材に防水パネルの下端部を嵌め込み可能な溝部を設け、パネル支持部材に溝部の上部を覆う蓋部材を着脱可能に設けたので、防水パネルを起立しない平常時には、パネル支持部材の溝部に塵埃が詰まることを防止でき、また、通路に溝部による段差が形成されず通行の支障にならない。更に、扉支持部材のシール部材の劣化を防止することができる。
【００１６】
また、請求項６の発明によれば、防水扉と、防水扉に隣接する位置に起立状態の防水扉の高さ方向に通路から立ち上がるパネル支持部材と、パネル支持部材に設けられる防水パネルとの相互の３つの止水面で通路を遮蔽するように構成したので、通路の遮蔽を簡易迅速に行える。
【発明を実施するための最良の形態】
【００１７】
本願発明の実施の形態について図１〜図６により説明する。各図において、破線による斜線は後述の各シール部材を示し、亀甲形は後述の接続用シール部材を示している。図１に示すように、防水扉装置１は、防水パネル２と防水扉３とを備えており、建物や駐車場等の出入口の通路４に設けられる。通路４は、一部の通路幅領域が車道５となっており、他の一部の通路幅領域が歩道６となっており、歩道６は車道５の左右両側に設けられている。歩道６は、車道５に対して高くなっており、車道５と歩道６の間には段差が形成されている。車道５には扉支持部材７が設けられ扉支持部材７にヒンジ装置８により防水扉３が図１に示す倒伏位置と図２に示す起立位置とに起倒可能に設けられ、車道５両側の左右の歩道６には夫々パネル支持部材９が設けられ、各パネル支持部材９に夫々防水パネル２が嵌め込まれるようになっている。
【００１８】
先ず、歩道６に設けられるパネル支持部材９と防水パネル２について説明する。パネル支持部材９と防水パネル２は左右対称であるので、左側のパネル支持部材９と防水パネル２により説明する。図３〜図６に示すように、パネル支持部材９は、パネル縦枠１０とパネル横枠１１とから構成されており、パネル縦枠１０は出入口を構成する建物や駐車場等の壁面１２に設けられ、パネル横枠１１は歩道６上に設けられている。パネル縦枠１０とパネル横枠１１には、防水パネル２の側端部と下端部を夫々嵌め込み可能な溝部１３が全長にわたって形成されている。防水パネル２は左右の縦壁板枠１４と上下の横壁板枠１５とを図示しない心材の四辺に枠組みし、その両面に表面板１６を貼り付けて構成されている。上の横壁板枠１５の上部には取手（把手）１７が固着されている。
【００１９】
また、防水パネル２の出入口外側のパネル面１８の下辺部分と壁面側辺部分には、防水パネル２の出入口内側のパネル面１９をパネル支持部材９の溝部１３を構成する出入口内側の溝部構成壁２２の内面２２ａに圧接する圧接手段として図５に示す圧接ハンドル２０が複数設けられている。圧接ハンドル２０は、出入口外側の溝部構成壁２１の内面２１ａに設けられた傾斜部材（楔部材）２３ａに係合して防水パネル２を出入口内側に向けて押し圧する。傾斜部材２３ａは、溝部構成壁２１から溝部１３内側に向けて上り勾配に傾斜しており、圧接ハンドル２０を回動すると傾斜部材２３ａの傾斜面に沿って圧接ハンドル２０の回転可能に設けられた樽形状の係合部２４が転動し、防水パネル２を出入口内側にむけて移動し、防水パネル２の辺部分に設けたシール部材２５，２６を溝部１３を構成する出入口内側の溝部構成壁２２に圧接するようになっている。
【００２０】
シール部材２５，２６は、防水パネル２のパネル面１９の左右辺部分と下辺部分で防水扉３の扉面２７と対向する部分と出入口内側の溝部構成壁２２の内面２２ａに対向する部分とに取付けられ、パネル支持部材９と防水扉３に圧着するようになっている。シール部材２５，２６は連続しており、パネル面１９にＵ字形状に設けられている。また、防水パネル２の下の横壁板枠１５の下面には、パネル横枠１１の溝部１３の底面１３ａに圧接し防水パネル２とパネル横枠１１との間を水密とする下部シール部材２８が設けられている。また、図４に示すように、防水パネル２の出入口内側のパネル面１９の防水扉端部には、防水パネル２の防水扉３側のシール部材２６を扉面２７に圧着可能な圧着手段としての圧着ハンドル２９が設けられている。圧接ハンドル２９は圧接ハンドル２１と同一のものであり、防水扉３の左右の端部分に固着された傾斜部材２３ｂと係合して起立状態での防水扉３と防水パネル２とを圧接する。
【００２１】
次に防水扉３について説明する。防水扉３は、車道５に埋設された扉支持部材７に配設され、作業者による手動操作により防水扉３の基部３０に連結されたヒンジ装置８により扉支持部材７の上部開口を閉塞する倒伏状態と防水パネル２とにより出入口を遮蔽する起立した起立状態とに起倒可能に設けられている。そして、起立状態でロック装置３１により起立方向に押し付けた状態でロックするようになっている。ロック装置３１は、一端部が自在継手によって扉支持部材７に連結されているロック棒３１ａと防水扉３の背面に取付けた係止具３１ｂから成り、ロック棒３１ａの先端部を防水扉３の背面の係止具３１ｂに係止させて係止具３１ｂのハンドル３１ｃを操作してロックするようになっている。ヒンジ装置８及びロック装置３１は、例えば、特開２００５−１８８０２９号や特開２００６−８３５９５号に開示されたものと同様なものが備えられているので詳しい説明を省略する。尚、特開２００５−１６３４６１号に開示のもののように電動モータ等の駆動装置により防水扉を起立するようにしても良い。
【００２２】
扉支持部材７の防水扉３の基部３０側に、水平方向即ち通路幅方向に延びる扉横支持枠３２と、歩道６との境界で略歩道６と同じ高さ迄立ち上がる扉縦支持枠３３を設けてある。扉横支持枠３２には、起立状態の防水扉３の扉面２７と対向する扉対向面に防水扉用横シール部材３４が設けられている。また、扉縦支持枠３３の上端部分は、図４〜図６に示すように、パネル横枠１１に連続してパネル支持部材９の一部を構成しており、扉縦支持枠３３の上端部分に形成された扉側溝部３５がパネル横枠１１に形成された溝部１３の一部と成っており、図４に示すように扉縦支持枠３３の起立状態の防水扉３と対応する部分がパネル支持部材９に装着した状態の防水パネル２のパネル面１９の近傍まで窪む窪み部３６に形成されている。
【００２３】
この扉縦支持枠３３は、窪み部３６の起立状態の防水扉３の扉面２７と対向する扉対向面に防水扉用縦シール部材３７が設けられている。防水扉用縦シール部材３７は、防水扉用横シール部材３４と連続しており、また、防水扉用縦シール部材３７の上端面には、防水パネル２の下面と対向する扉縦支持枠３３の上面に設けられた接続用シール部材３８が一体的に接続している。防水扉用横シール部材３４及び防水扉用縦シール部材３７は、防水扉３の起立状態で、扉面２７と扉横支持枠３２間及び扉面２７と扉縦支持枠３３間を水密とする。接続用シール部材３８は、防水パネル２の厚さより長く、図６に示すように歩道６に向けて下り勾配のテーパ面３９が形成されている。このテーパ面３９は、防水パネル２が溝部１３に嵌め込まれたときの下部シール部材２８との圧力変動をなだらかにして接続用シール部材３８と下部シール部材２８との間で隙間が形成されないようにしている。
【００２４】
前記パネル支持部材９には、防水パネル２が嵌め込まれていない平常時には、図６に示す蓋部材４０が着脱可能に装着されており、溝部１３と扉側溝部３５と窪み部３６の上部を覆い、溝部１３と扉側溝部３５とに塵埃が溜まるのを防止すると共に接続用シール部材３８の劣化を防止するようになっている。
【００２５】
洪水時や洪水予報時に通路４を遮蔽する場合には、先ず、蓋部材４０を溝部１３から取外して溝部１３に防水パネル２を嵌め込み、防水パネル２の出入口外側の圧接ハンドル２０を回転して圧接ハンドル２０の先端の係合部２４を溝部構成壁２１の傾斜部材２３ａに係合して防水パネル２を出入口内側に向けて移動し、シール部材２５，２６を出入口内側の溝部構成壁２２に圧着する。また、このときシール部材２６の下面と下部シール部材２８の下面は接続用シール部材３８の上面に圧着している。この結果、シール部材２６と下部シール部材２８と接続用シール部材３８と防水扉用縦シール部材３７は水密に連続する。
【００２６】
また、防水扉３を起立してロック装置３１により出入口外側に押し付けながら起立状態に固定する。このとき、防水扉３の扉面２７は、防水扉用横シール部材３４及び防水扉用縦シール部材３７とに圧着すると共に防水パネル２のシール部材２５，２６に圧着し、防水扉３と防水パネル２が互いに方立の役割を果たす。このため、防水扉装置１の使用時に方立を通路へ組付ける作業や、方立を通路に常に立設しておく必要がない。そして、圧接ハンドル２９を回転して圧接ハンドル２９の係合部２４を防水扉３の傾斜部材２３ｂに係合して扉面２７をシール部材２５，２６に圧着するので簡単な構成で、防水パネル２と防水扉３との水密性を一層高く保つことができ、洪水時に出入口外側から内側への浸水を防止することができる。このように防水パネル２と防水扉３とを用いるので、出入口の通路幅が広い場合でも簡単な構成で容易に出入口を遮蔽することができる。また、方立の立設が不要なので迅速に通路を遮蔽することができる。また、洪水の心配のない平時には防水扉３を倒伏状態とし、防水パネル２を適宜な場所に収納するが、方立を使用していないので、その分、収納スペースが小さくすむ。
【００２７】
図７は第２の実施の形態であり、前記第１の実施の形態と同一の部分には同一の符号を付けて説明を省略する。防水扉装置１は前記第１の実施の形態と略同様な構成であるが、前記第１の実施の形態での圧接ハンドル２０，２９及び傾斜部材２３ａ，２３ｂが設けられておらず、パネル支持部材９のパネル横枠１１の溝部幅Ｈ１を防水パネル２を嵌め込み可能な略防水パネル２の幅Ｈ２より僅かに大きい幅としてある。この防水扉装置１は、洪水時の水圧により防水パネル２を起立状態の防水扉３とパネル支持部材９に押圧し、シール部材２５，２６を夫々扉面２７と溝部構成壁２２の内面２２ａに圧着して浸水を防止するように構成したものである。
【００２８】
図８は第３の実施の形態であり、前記第１の実施の形態と同一の部分には同一の符号を付けて説明を省略する。防水扉装置１は前記第１の実施の形態と略同様な構成であるが、車道５と歩道６とが同一高さとされており、パネル支持部材９が防水扉３に隣接する位置で起立状態の防水扉３の高さ方向に歩道６から通行が行える程度に立ち上げられている。通路４の遮蔽時には、パネル支持部材９に嵌め込まれた防水パネル２と起立状態の防水扉３とパネル支持部材９とを相互に夫々に設けた各シール部材により水密に連結し、防水パネル２の出入口外側のパネル面１８と、防水扉３の出入口外側の扉面２７と、パネル支持部材９の出入口外側の壁面２１ｂとを止水面として通路４を遮蔽するように構成したものである。
【００２９】
尚、防水扉用縦シール部材を扉側溝部の底面から突出して接続用シール部材とした場合には、テーパ面を形成しなくても良い。また、防水パネルを防水扉の両側に設けたもので説明したが、防水扉の一方のみに防水パネルを設けるようにし、防水扉の他方を出入口の壁面に設けた防水扉用支持枠の防水扉用シール部材に圧着するようにしても良い。また、歩道と車道とが同一の高さの場合でも防水扉装置を配設することができる。また、車道の幅が広い場合は、車道にのみ特許文献１のような複数の防水扉を備えた防水扉装置を設けても良いが、車道と歩道との境界では防水パネルと防水扉と扉縦支持枠とで水密を保つので、車道と歩道の段差があっても簡単な構造で容易に水密とすることができる。
【図面の簡単な説明】
【００３０】
【図１】本願発明の防水扉装置の平面図である。
【図２】防水扉装置による通路の遮蔽の概要を示す斜視図である。
【図３】図２のＩＩＩ部での防水パネルの嵌め込みと各シール部材の接続を示す説明図である。
【図４】防水パネルと防水扉の圧着を示す平面図である。
【図５】防水パネルと防水扉の圧着を示す側面図である。
【図６】パネル支持部材と蓋部材との概要を示す斜視図である。
【図７】第２の実施の形態である。
【図８】第３の実施の形態である。
【符号の説明】
【００３１】
１  防水扉装置
２  防水パネル
３  防水扉
４  通路
５  車道
６  歩道
７  扉支持部材
９  パネル支持部材
１３  溝部
１９  パネル面
２０  圧着手段（圧接ハンドル）
２５，２６  シール部材
２７  扉面
３２  扉横支持枠
３３  扉縦支持枠
４０  蓋部材
【図１】
2007308915.tif 000003
【図２】
2007308915.tif 000004
【図３】
2007308915.tif 000005
【図４】
2007308915.tif 000006
【図５】
2007308915.tif 000007
【図６】
2007308915.tif 000008
【図７】
2007308915.tif 000009
【図８】
2007308915.tif 000010